【事件の表示】
　特許第２８７５６４５号「液晶表示素子」の請求項１ないし２に係る特許に対する特許異議の申立てについて、次のとおり決定する。
【結　論】
　訂正を認める。
　特許第２８７５６４５号の請求項１ないし２に係る特許を維持する。
【理　由】
（１）手続の経緯
　特許第２８７５６４５号の請求項１乃至２に係る発明についての出願は、平成３年７月３日に特許出願され、平成１１年１月１４日にその発明について特許の設定登録がなされ、その後、その特許について、前川恵子より特許異議の申立がなされ、取消理由通知がなされ、その指定期間内である平成１２年３月１３日に訂正請求がなされたものである。
（２）訂正の適否についての判断
　特許権者は、以下の訂正を求めるものである。
(i)訂正事項a
　特許査定時における本件特許明細書の特許請求の範囲の欄の記載、
「【請求項1】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記非表示領域ごとに複数個のダミー電極を形成したことを特徴とする液晶表示素子。
【請求項2】　請求項１記載において、前記ダミー電極の大きさを、前記上
部透明電極群および下部透明電極群で規制される一画素の大きさとほぼ等しくしたことを特徴とする液晶表示素子。」
を、特許請求の範囲の減縮を目的として、
「【請求項1】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記各上部透明電極群の間及び前記各下部透明電極群の間の非表示領域ごとに互いに電気的に独立した複数個のダミー電極を形成したことを特徴とする液晶表示素子。
【請求項2】　請求項1記載において、前記ダミー電極の大きさを、前記上
部透明電極群および下部透明電極群で規制される一画素の大きさとほぼ等しくしたことを特徴とする液晶表示素子。」
　と訂正する。
(ii)訂正事項b
　特許査定時の本件特許明細書の段落番号【0007】の記載
「　【0007】
【課題を解決するための手段】
　本発明は、前記の目的を達成するため、複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャツプを介して前記上部電極基板に形成された上部透明電極群およびダミー電極と前記下部電極基板に形成された下部透明電極群およびダミー電極とを対向させた液晶表示素子において、前記非表示領域ごとに複数個のダミー電極を形成するという構成にした。
　前記ダミー電極の大きさは、任意に設定することができるが、各ダミー電極の静電容量と色むらとを考慮して、上部透明電極群および下部透明電極群で規制される一画素の大きさとほぼ等しくすることが特に好ましい。」
　を、明瞭でない記載の釈明を目的として、
「【0007】
　【課題を解決するための手段】
　本発明は、前記の目的を達成するため、複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記各上部透明電極群の間及び前記各下部透明電極群の間の非表示領域ごとに互いに電気的に独立した複数個のダミー電極を形成するという構成にした。
　前記ダミー電極の大きさは、任意に設定することができるが、各ダミー電極の静電容量と色むらとを考慮して、上部透明電極群および下部透明電極群で規制される一画素の大きさとほぼ等しくすることが特に好ましい。」
　と訂正する。
(iii)訂正事項c
　特許査定時の本件特許明細書の段落番号【0010】の記載
「　【0010】
　これらの図に示すように、本例の液晶表示素子は、上部電極基板2および下部電極基板4の内面の相対向位置であって、上部透明電極１および下部透明電極3が形成されていない非表示領域10ごとに、多数のドット状のダミー電極14が形成されている。その他の部分については、図5~図7に示した従来の液晶表示素子と同様に形成されている。1つのダミー電極14の大きさは、静電容量と色むらとを考慮して任意に設定することができるが、一例を挙げるならば、表示領域における一画素の大きさと同等(0.3~0.4mm角)程度とすることが特に好ましい。ダミー電極１4は、透明電極1,3および電極端子8を形成するITOなどの透明導電物質を用いて、透明電極1,3および電極端子8と同時に印刷形成される。これらのダミー電極14は、互いに電気的に独立に、かつ透明電極1,3および電極端子8とも電気的に独立に形成される。さらに、これらのダミー電極14は、液晶表示素子の色むらを防止するため、透明電極1,3および電極端子8とほぼ同厚に形成される。その他、ガラス基板2,4の貼り合わせ方法、および液晶の注入方法等については、従来より一般に良く知られている方法と同一であり、かつ本発明の要旨ではないので説明を省略する。」
を、明瞭でない記載の釈明を目的として、
「　【0010】
　これらの図に示すように、本例の液晶表示素子は、上部電極基板2および下部電極基板4の内面の相対向位置であって、上部透明電極1および下部透明電極3が形成されていない非表示領域10ことに、多数のドット状のダミー電極１4が形成されている。その他の部分については、図5~図7に示した従来の液晶表示素子と同様に形成されている。1つのダミー電極１4の大きさは、静電容量と色むらとを考慮して任意に設定することができるが、一例を挙げるならば、表示領域における一画素の大きさと同等(0.3~0.4mm角)程度とすることが特に好ましい。ダミー電極14は、透明電極1,3および電極端子8を形成するITOなどの透明導電物質を用いて、透明電極1,3および電極端子8と同時に印刷形成される。これらのダミー電極14は、互いに電気的に独立に、かつ透明電極1,3および電極端子8とも電気的に独立に形成される。さらに、これらのダミー電極14は、液晶表示素子の色むらを防止するため、透明電極1,3および電極端子8とほぼ同厚に形成される。その他、電極基板2,4の貼り合わせ方法、および液晶の注入方法等については、従来より一般に良く知られている方法と同一であり、かつ本発明の要旨ではないので説明を省略する。」
　と訂正する。
(iv)訂正事項d
　特許査定時の本件特許明細書の段落番号【0015】の記載
「　【0015】
　【発明の効果】
　以上説明したように、本発明によると、非表示領域ごとに複数個のダミー電極を形成し、ダミー電極1つ当りの面積を減少したので、各ダミー電極の静電容量が低下してラビング処理中における透明電極の静電破壊や使用中におけるダミー電極の帯電による通電気泡不良などが起こりにくくなり、良品の歩留まりと商品の耐久性が改善される。また、ラビング処理中における透明電極の静電破壊を防止するための特別な手段、例えば同電位化手段などをとる必要がないので、安価に実施できる。」
　を、明瞭でない記載の釈明を目的として、
「　【0015】
【発明の効果】
　以上説明したように、本発明によると、各上部透明電極群の間及び各下部透明電極群の間の非表示領域ごとに互いに電気的に独立した複数個のダミー電極を形成し、ダミー電極1つ当りの面積を減少したので、各ダミー電極の静電容量が低下してラビング処理中における透明電極の静電破壊や使用中におけるダミー電極の帯電による通電気泡不良などが起こりにくくなり、良品の歩留まりと商品の耐久性が改善される。また、ラピング処理中における透明電極の静電破壊を防止するための特別な手段、例えば同電位化手段などをとる必要がないので、安価に実施できる。」
　と訂正する。
イ．訂正の目的の適否、新規事項の有無及び拡張・変更の存否
  上記訂正事項ａは、願書に最初に添付した明細書の段落番号【１０】の「これらの図の示すように、本例の液晶表示素子は、上部電極板２及び下部電極板４の内面の相対向位置であって、上部透明電極１および下部透明電極３が形成されていない非表示領域１０ごとに、多数のドット上のダミー電極１４が形成されている。・・・これらのダミー電極１４は、互いに電気的に独立に、かつ透明電極１，３および電極端子８とも電気的に独立に形成される。」との記載に基づき、請求項１の「前記非表示領域ごとに複数個のダミー電極を形成した」を「前記各上部透明電極群の間及び前記各下部透明電極群の間の非表示領域ごとに互いに電気的に独立した複数個のダミー電極を形成した」に限定するものであり、特許請求の範囲の減縮に該当し、新規事項の追加に該当せず、実質的に特許請求の範囲を拡張または変更するものでもない。
  訂正事項ｂは、訂正後の請求項１の記載と明細書の【課題を解決するための手段】の記載との整合性を取るためのものであり、明瞭でない記載の釈明に該当し、新規事項の追加に該当せず、実質的に特許請求の範囲を拡張又は変更するものでもない。
　訂正事項ｃは、段落番号【１０】中の「ガラス基板２，４」を、「電極基板２，４」と訂正するものであるが、明細書のその他の箇所では、「２」は「上部電極基板」また、「３」は「下部電極基板」とされているので、この訂正は、誤記の訂正に該当し、新規事項の追加に該当せず、実質的に特許請求の範囲を拡張または変更するものでもない。
  訂正事項ｄは、訂正後の請求項１の記載と明細書の【発明の効果】の記載との整合性を取るためのものであり、明瞭でない記載の釈明に該当し、新規事項の追加に該当せず、実質的に特許請求の範囲を拡張又は変更するものでもない。
ウ．独立特許要件の判断
（先願明細書）
　訂正明細書の請求項１に係る発明（以下、「本件請求項１に係る発明」という。）および訂正明細書の請求項２に係る発明（以下、「本件請求項２に係る発明」という。）に対して、当審が通知した取消理由で引用した先願明細書および図面（実願平２−９６８０８号（実開平４−５５０２２号）のマイクロフィルム）には以下の事項が記載されている。
「第１図および第２図は、この考案の一実施例の液晶表示装置における電極パターン例を示す平面図である。
　両図において、液晶表示素子を構成している一対のガラス基板面上の電極をそれぞれ記号Ｉ、IIとする。Ｉは従来と同じ構成のセグメント側の電極パターンであって、信号電極パターン１と、ダミーの電極パターン２（以下ダミー電極２と呼称する）と、それらを接続する接続パターン４とから構成される。IIはこの考案による追加されたダミーパターンを含むコモン側の電極パターンである。すなわち、Ｉのダミー電極２と、引き回し部の非表示部分ＡおよびＢとに対応するIIの部分にダミーの電極パターン２ａ、ＣおよびＤを形成する。
　追加するダミー電極２ａは、帯状の電極により形成し、そのピッチ引き回し部の電極のピッチに一致させるか、または５μｍ程度広くする。・・・
   第２図（ａ）において、ダミー電極２は信号電極パターン１と電気的に接続されており、追加のダミー電極２ａは、信号電極パターン１に対し電気的に遮断された状態になっている。また、第２図（ｂ）においても、追加のダミー電極２ａは信号電極パターン１に対し電気的に遮断された状態になっている。
　このようにして、電極パターンが形成された基板ＩおよびIIを、ＡとＣそしてＢとＤがそれぞれ重なるようにして貼り合わせ、液晶表示部を作製する。それにより、 基板Ｉの端子部３近傍における引き回し部の非表示部は、基板IIのダミー電極２ａと重なる。貼り合わせ後に得られる液晶表示素子の断面図を第３図に示す。」（第６頁第１１行乃至第８頁第９行）
（対比・判断）                                                      　先願明細書及ぶ図面には、本件請求項１に係る発明と同様の「複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子」に関する発明が記載されているが、帯状のダミー電極の各々は、接続パターン４により接続されており、本件請求項１に係る発明の構成である、「互いに電気的に独立した複数個のダミー電極を形成した」点は記載されていないし、示唆されるものでもない。 
　したがって、本件請求項１に係る発明は上記先願明細書及び図面記載の発明と同一であるとすることはできない。
　本件請求項１を引用する本件請求項２に係る発明についても同様に上記先願明細書及び図面記載の発明と同一であるとすることはできない。
エ．むすび
　以上のとおりであるから、上記訂正は、特許法第１２０条の４第２項及び同条第３項で準用する第１２６条第２−４項の規定に適合するので当該訂正を認める。
（３）特許異議申立てについての判断
ア．本件発明　
　訂正明細書の請求項１に係る発明（以下、「本件発明１」という。）及び訂正明細書の請求項２に係る発明（以下、「本件発明２」という。）はその特許請求の範囲の請求項１及び請求項２に記載された以下のとおりのものである。
「【請求項1】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記各上部透明電極群の間及び前記各下部透明電極群の間の非表示領域ごとに互いに電気的に独立した複数個のダミー電極を形成したことを特徴とする液晶表示素子。
【請求項2】　請求項1記載において、前記ダミー電極の大きさを、前記上
部透明電極群および下部透明電極群で規制される一画素の大きさとほぼ等しくしたことを特徴とする液晶表示素子。」
イ．申立の理由の概要
　申立人前川恵子は、本件特許の請求項１及び２に係る発明は、甲第１号証（実願平２−９６８０８号（実開平４−５５０２２号）のマイクロフィルム）記載の発明と同一であるので、特許法第２９条の２の規定により特許を受けることができないから特許を取り消すべきと主張している。
ウ．判断
  上記（２）ウ．で述べたように、本件発明１および２は甲第１号証に記載された発明と同一ではない。
エ．むすび
　以上のとおりであるから、特許異議申立の理由及び証拠によっては、本件発明についての特許を取り消すことはできない。
　また、他に本件発明についての特許を取り消すべき理由を発見しない。
　よって、結論のとおり決定する。
【異議決定日】
平成１２年３月２８日（２０００．３．２８）
【訂正の要旨】
（３）訂正の要旨
（ｉ）訂正事項ａ
　特許査定時における本件特許明細書の特許請求の範囲の欄の記載、
「【請求項１】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記非表示領域ごとに複数週のダミー電極を形成したことを特徴とする液晶表示素子。
　　【請求項２】　請求項１記載において、前記ダミー電極の大きさを、前記上部透明電極群および下部透明電極群で規制される一画素の大きさとほぼ等しくしたことを特徴とする液晶表示素子。」
　を、特許請求の範囲の減縮を目的として、
「【請求項１】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記各上部透明電極群の間及び前記各下部透明電極群の間の非表示領域ごとに互いに電気的に独立した複数個のダミー電極を形成したことを特徴とする液晶表示素子。
　　【請求項２】　請求項１記載において、前記ダミー電極の大きさを、前記上部透明電極群および下部透明電極群で規制される一画素の大きさとほぼ等しくしたことを特徴とする液晶表示素子。」
　と訂正する。
（ｉｉ）訂正事項ｂ
　特許査定時の本件特許明細書の段落番号【０００７】の記載
「　　【０００７】
　　【課題を解決するための手段】
　本発明は、前記の目的を達成するため、複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記非表示領域ごとに複数個のダミー電極を形成するという構成にした。
　前記ダミー電極の大きさは、任意に設定することができるが、各ダミー電極の静電容量と色むらとを考慮して、上部透明電極群および下部透明電極群で規制される一画素の大きさとほぼ等しくすることが特に好ましい。」
　を、明瞭でない記載の釈明を目的として、
「　　【０００７】
　　【課題を解決するための手段】
　本発明は、前記の目的を達成するため、複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記各上部透明電極群の間及び前記各下部透明電極群の間の非表示領域ごとに互いに電気的に独立した複数個のダミー電極を形成するという構成にした。
　前記ダミー電極の大きさは、任意に設定することができるが、各ダミー電極の静電容量と色むらとを考慮して、上部透明電極群および下部透明電極群で規制される一画素の大きさとほぼ等しくすることが特に好ましい。」
　と訂正する。
（ｉｉｉ）訂正事項ｃ
　特許査定時の本件特許明細書の段落番号【００１０】の記載
「　　【００１０】
　これらの図に示すように、本例の液晶表示素子は、上部電極基板２および下部電極基板４の内面の相対向位置であって、上部透明電極１および下部透明電極３が形成されていない非表示領域１０ごとに、多数のドット状のダミー電極１４が形成されている。その他の部分については、図５〜図７に示した従来の液晶表示素子と同様に形成されている。１つのダミー電極１４の大きさは、静電容量と色むらとを考慮して任意に設定することができるが、一例を挙げるならば、表示領域における一画素の大きさと同等（０．３〜０．４ｍｍ角）程度とすることが特に好ましい。ダミー電極１４は、透明電極１，３および電極端子８を形成するＩＴＯなどの透明導電物質を用いて、透明電極１，３および電極端子８と同時に印刷形成される。これらのダミー電極１４は、互いに電気的に独立に、かつ透明電極１，３および電極端子８とも電気的に独立に形成される。さらに、これらのダミー電極１４は、液晶表示素子の色むらを防止するため、透明電極１，３および電極端子８とほぼ同厚に形成される。その他、ガラス基板２，４の貼り合わせ方法、および液晶の注入方法等については、従来より一般に良く知られている方法と同一であり、かつ本発明の要旨ではないので説明を省略する。」
　を、明瞭でない記載の釈明を目的として、
「　　【００１０】
　これらの図に示すように、本例の液晶表示素子は、上部電極基板２および下部電極基板４の内面の相対向位置であって、上部透明電極１および下部透明電極３が形成されていない非表示領域１０ごとに、多数のドット状のダミー電極１４が形成されている。その他の部分については、図５〜図７に示した従来の液晶表示素子と同様に形成されている。１つのダミー電極１４の大きさは、静電容量と色むらとを考慮して任意に設定することができるが、一例を挙げるならば、表示領域における一画素の大きさと同等（０．３〜０．４ｍｍ角）程度とすることが特に好ましい。ダミー電極１４は、透明電極１，３および電極端子８を形成するＩＴＯなどの透明導電物質を用いて、透明電極１，３および電極端子８と同時に印刷形成される。これらのダミー電極１４は、互いに電気的に独立に、かつ透明電極１，３および電極端子８とも電気的に独立に形成される。さらに、これらのダミー電極１４は、液晶表示素子の色むらを防止するため、透明電極１，３および電極端子８とほほ同厚に形成される。その他、電極基板２，４の貼り合わせ方法、および液晶の注入方法等については、従来より一般に良く知られている方法と同一であり、かつ本発明の要旨ではないので説明を省略する。」
　と訂正する。
（ｉｖ）訂正事項ｄ
　特許査定時の本件特許明細書の段落番号【００１５】の記載
「　　【００１５】
　　【発明の効果】
　以上説明したように、本発明によると、非表示領域ごとに複数個のダミー電極を形成し、ダミー電極１つ当りの面積を減少したので、各ダミー電極の静電容量が低下してラビング処理中における透明電極の静電破壊や使用中におけるダミー電極の帯電による通電気泡不良などが起こりにくくなり、良品の歩留まりと商品の耐久性が改善される。また、ラビング処理中における透明電極の静電破壊を防止するための特別な手段、例えば同電位化手段などをとる必要がないので、安価に実施できる。」
　を、明瞭でない記載の釈明を目的として、
「　　【００１５】
　　【発明の効果】
　以上説明したように、本発明によると、各上部透明電極群の間及び各下部透明電極群の間の非表示領域ごとに互いに電気的に独立した複数個のダミー電極を形成し、ダミー電極１つ当りの面積を減少したので、各ダミー電極の静電容量が低下してラビング処理中における透明電極の静電破壊や使用中におけるダミー電極の帯電による通電気泡不良などが起こりにくくなり、良品の歩留まりと商品の耐久性が改善される。また、ラビング処理中における透明電極の静電破壊を防止するための特別な手段、例えば同電位化手段などをとる必要がないので、安価に実施できる。」
　と訂正する。
（５４）【発明の名称】
液晶表示素子
（５７）【特許請求の範囲】
　　【請求項１】　複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記
各上部透明電極群の間及び前記各下部透明電極群の間の
互いに電気的に独立した
　　【請求項２】　請求項１記載において、前記ダミー電極の大きさを、前記上部透明電極群および下部透明電極群で規制される一画素の大きさとほぼ等しくしたことを特徴とする液晶表示素子。
【発明の詳細な説明】
　　　【０００１】
　　【産業上の利用分野】
　本発明は液晶表示素子に係り、より詳しくは、非表示領域に形成されるダミー電極の形状および配列に関する。
　　　【０００２】
　　【従来の技術】
　液晶表示素子は、図５に示すように、片面に上部透明電極１が形成された上部電極基板２と、片面に下部透明電極３が形成された下部電極基板４とを、各透明電極１，３を内側にし、かつ各電極基板２，４の透明電極形成面間に所定のセルギャップＧを介して貼りあわせ、このセルギャップＧ内に液晶（図示せず）を封入すると共に、前記各電極基板２，４の外面に上部偏光板５および下部偏光板６を設けてなる。一般に液晶表示素子には高いセルギャップ制度が要求されるが、特にＳＴＮ（Ｓｕｐｅｒ　Ｔｗｉｓｔｅｄ　Ｎｅｍａｔｉｃ）型やフルカラーＴＦＴ（Ｔｈｉｎ　Ｆｉｌｍ　Ｔｒａｎ−ｓｉｓｔｏｒ）型の液晶表示素子においては±０．１μｍ以下、さらに多階調黒白型の液晶表示素子においては±０．０５μｍ以下というきわめて高いセルギャップ制度が要求される。
　　　【０００３】
　ところで、図６に示すように、上部透明電極１と下部透明電極３とが直交して配置され、これら上部透明電極１および下部透明電極３が複数のグループに分けられて、それぞれ異なるフレキシブル基板７ａ，７ｂ，７ｃ，・・・に搭載されたドライバＩＣ８ａ，８ｂ，８ｃ，・・・の出力端子に接続されたドットマトリクス型の液晶表示素子においては、フレキシブル基板７ａ，７ｂ，７ｃ，・・・の取付けを容易にするため、一般に各透明電極群ごとにその末端部が集約化されて上部電極基板２または下部電極基板４の端部に引き出され、電極端子９に接続される。このため、第１のドライバＩＣ８ａに接続された第１の透明電極群１ａとこの第１のドライバＩＣ８ａと隣接して配置された第２のドライバＩＣ８ｂに接続された第２の透明電極群１ｂとの間、および液晶表示素子の最も外側部分に透明電極を有しない非表示領域１０が形成される。なお、図中の符号１１は、前記フレキシブル基板７ａ，７ｂ，７ｃ，・・・に形成されたリードパターン、符号１２は、液晶表示素子を駆動するための回路パターン１３が形成されたプリント配線板を示している。前記電極端子９とリードパターン１１、および前記リードパターン１１と回路パターン１３とは、それぞれ図示外の異方性導電シート等を介して接続される。
　　　【０００４】
　かように、透明電極１，３をもって構成される表示領域中に透明電極１，３を有しない非表示領域１０が分散して配列される液晶表示素子においては、透明電極１，３がある部分とない部分とで透明電極１，３の厚さ分だけセルギャップＧが異なるため、表示領域の周縁に色むら箇所が点在しやすいという不都合があった。かかる不都合を改善するため、従来より図７に示すように、非表示領域１０に、透明電極１，３と同等の厚さを有し、透明電極１，３とは電気的に独立で情報の表示に関与しない電極、すなわちダミー電極１４を設けてセルギャップＧの均一化が図られている。
　　　【０００５】
　　【発明が解決しようとする課題】
　しかるに、従来技術においてはダミー電極１４が、非表示領域１０のほぼ全体を覆うような形状に形成されているので該部の静電容量が大きく、例えば特公昭５７−５６０４４号公報に記載されているような同電位化手段が透明電極１，３とダミー電極１４との間に施されていない場合においては、ラビング処理中に高電圧の静電気がダミー電極１４に帯電されやすく、透明電極１，３とダミー電極１４との間に放電を生じて透明電極１，３が静電は介されるといった不都合を生じやすい。また、透明電極１，３とダミー電極１４との間に同電位化手段を施した場合には、ラビング処理中における透明電極１，３の静電破壊といった不都合を解消することができるが、製造工程が複雑になって液晶表示素子がコスト高になると共に、同電位化手段を切り離した後においては、やはり大面積のダミー電極１４に高電圧の静電気が帯電されやすいために、静電気によって液晶が破壊される現象である通電気泡不良などを生じやすい。
　　　【０００６】
　本発明はこのような事情に鑑みてなされたもので、その目的は、安価にして静電気の影響を受けにくい液晶表示素子を提供することにある。
　　　【０００７】
　　【課題を解決するための手段】
　本発明は、前記の目的を達成するため、複数のグループにグループ分けされた上部透明電極群および当該グループ分けされた各上部透明電極群の間の非表示領域に形成されたダミー電極を有する上部電極基板と、複数のグループにグループ分けされた下部透明電極群および当該グループ分けされた各下部透明電極群の間の非表示領域に形成されたダミー電極を有する下部電極基板とを備え、所要のセルギャップを介して前記上部電極基板に形成された上部透明電極群およびダミー電極と前記下部電極基板に形成された下部透明電極群およびダミー電極とを対向させた液晶表示素子において、前記
各上部透明電極群の間及び前記各下部透明電極群の間の
互いに電気的に独立した
　前記ダミー電極の大きさは、任意に設定することができるが、各ダミー電極の静電容量と色むらとを考慮して、上部透明電極群および下部透明電極群で規制される一画素の大きさとほぼ等しくすることが特に好ましい。
　　　【０００８】
　　【作用】
　１つの非表示領域中に互いに電気的に独立した複数個のダミー電極を形成すると、ダミー電極１つ当りの面積が減少し静電容量が低下するので、ラビング処理中における透明電極の静電破壊や使用中におけるダミー電極の帯電による通電気泡不良などが起こりにくくなり、良品の歩留まりと商品の耐久性が改善される。又、ラビング処理中における透明電極の静電破壊を防止するための特別な手段、例えば上述の同電位化手段などをとる必要がないので、安価に実施できる。
　　　【０００９】
　　【実施例】
　図１は第１実施例に係る液晶表示素子の要部平面図、図２はその要部断面図であって、前出の図５〜図７と対応する部分には同一の符号が表示されている。
　　　【００１０】
　これらの図に示すように、本例の液晶表示素子は、上部電極基板２および下部電極基板４の内面の相対向位置であって、上部透明電極１および下部透明電極３が形成されていない非表示領域１０ごとに、多数のドット状のダミー電極１４が形成されている。その他の部分については、図５〜図７に示した従来の液晶表示素子と同様に形成されている。１つのダミー電極１４の大きさは、静電容量と色むらとを考慮して任意に設定することができるが、一例を挙げるならば、表示領域における一画素の大きさと同等（０．３〜０．４ｍｍ角）程度とすることが特に好ましい。ダミー電極１４は、透明電極１，３および電極端子８を形成するＩＴＯなどの透明導電物質を用いて、透明電極１，３および電極端子８と同時に印刷形成される。これらのダミー電極１４は、互いに電気的に独立に、かつ透明電極１，３および電極端子８とも電気的に独立に形成される。さらに、これらのダミー電極１４は、液晶表示素子の色むらを防止するため、透明電極１，３および電極端子８とほぼ同厚に形成される。その他、電極基板２，４の貼り合わせ方法、および液晶の注入方法等については、従来より一般に良く知られている方法と同一であり、かつ本発明の要旨で，はないので説明を省略する。
　　　【００１１】
　前記実施例の液晶表示素子は、各非表示領域ごとに多数のドット状のダミー電極１４を形成したので、ダミー電極１つ当りの面積が減少し、ダミー電極の静電容量を低下することができる。よって、ラビング処理中における透明電極１，３の静電破壊や使用中におけるダミー電極１４の帯電による通電気泡不良などが起こりにくくなり、良品の歩留まりと商品の耐久性が改善される。また、ラビング処理中における透明電極１，３の静電破壊を防止するための特別な手段、例えば同電位化手段などをとる必要がないので、安価に実施できる。
　　　【００１２】
　次に、本発明の第２実施例を図３によって説明する。図３は第２実施例に係る液晶表示素子の要部平面図であり、前出の図１と対応する部分には同一の符号が表示されている。
　　　【００１３】
　この図に示すように、本例の液晶表示素子は、非表示領域１０ごとに複数条のライン状のダミー電極１４が形成されている。その他については図１に示した第１実施例の液晶表示素子と同じである。本例の液晶表示素子も、前記第１実施例の液晶表示素子とほぼ同様の効果を有する。
　　　【００１４】
　なお、本発明の要旨は、非表示領域ごとに互いに電気的に独立した複数個のダミー電極を分割形成した点にあるのであって、ダミー電極１４の形状や配列等については、前記実施例に拘泥されることなく任意に設定することができる。例えば、前記実施例においては、上部電極基板２および下部電極基板４の内面の相対向位置に夫々ダミー電極１４を形成したが、図４に示すように、上部電極基板２および下部電極基板４のうちのいずれか一方の内面にのみ、ダミー電極１４を形成することもできる。
　　　【００１５】
　　【発明の効果】
　以上説明したように、本発明によると、
各上部透明電極群の間及び各下部透明電極群の間の
互いに電気的に独立した
【図面の簡単な説明】
　　【図１】
　第１実施例に係る液晶表示素子の要部平面図である。
　　【図２】
　第１実施例に係る液晶表示素子の要部断面図である。
　　【図３】
　第２実施例に係る液晶表示素子の要部平面図である。
　　【図４】
　他の実施例に係る液晶表示素子の要部断面図である。
　　【図５】
　液晶表示素子の要部断面図である。
　　【図６】
　ダミー電極を有しない液晶表示素子の要部平面図である。
　　【図７】
　従来例に係る液晶表示素子の要部平面図である。
　　【符号の説明】
　１　　上部透明電極
　２　　上部電極基板
　３　　下部透明電極
　４　　下部電極基板
　１０　非表示領域
　１４　ダミー電極